(57)【要約】      （修正有）【課題】空冷機器に設けられるフィルタのメンテナンス作業を容易にすることが可能な空冷機器のファンケースを提供する。【解決手段】空冷機器のファンケース１０は、フィルタブラケット１２とフィルタケース１４により構成される。フィルタブラケット１２は、前面側に開口部を設けた箱形に形成され、左右に配置された板部材のそれぞれに、開口部の開口面と平行に、フィルタケース１４を係止するための２つの第１係止板部材を離間させて設け、フィルタケース１４は、フィルタブラケット１２の開口部を覆う箱形に形成され、上左右に配置された板部材の内側にフィルタを脱着可能に設けると共に、左右に配置された板部材の内側のそれぞれに前面側板部材と平行に、前面側板部材に対して第１係止板部材の板厚以上の間隔を空けて、フィルタブラケット１２の第１係止板部材と係止させるための２つの第１係止構造を離間して設ける。【選択図】図１
2020077769.tif 000002
【特許請求の範囲】
【請求項１】
電子機器筐体に取り付けられるフィルタブラケットと、前記フィルタブラケットに対して脱着可能とするフィルタケースにより構成される空冷機器のファンケースであって、
前記フィルタブラケットは、
上下左右に配置された板部材により、前記フィルタケースを装着させる前面側に開口部を設けた箱形に形成され、左右に配置された板部材のそれぞれに、前記開口部の開口面と平行に、前記フィルタケースを係止するための２つの第１係止板部材を離間させて設け、
前記フィルタケースは、
上左右に配置された板部材と同板部材が３辺に設けられる前面側板部材により、前記フィルタブラケットの前記開口部を覆う箱形に形成され、上左右に配置された板部材の内側にフィルタを脱着可能に設けると共に、左右に配置された板部材の内側のそれぞれに前記前面側板部材と平行に、前記前面側板部材に対して前記第１係止板部材の板厚以上の間隔を空けて、前記フィルタブラケットの前記第１係止板部材と係止させるための２つの第１係止構造を離間して設けた、空冷機器のファンケース。
【請求項２】
前記フィルタケースの上左右に配置された板部材により囲われた内側に、前面側板部材との間にフィルタを挟み込むためのフィルタ押さえ金具を脱着可能に固定するための固定具を設け、
前記フィルタ押さえ金具の左右端部に前記第１係止構造を形成した、請求項１記載の空冷機器のファンケース。
【請求項３】
前記フィルタブラケットの下に配置された板部材に、前記開口部の開口面と平行に、前記フィルタケースを係止するための第２係止板部材を横幅方向全体に設け、
前記フィルタケースの前記前面側板部材の下端近傍の内側に、前記前面側板部材と平行に、前記前面側板部材に対して前記第２係止板部材の板厚以上の間隔を空けて、前記フィルタブラケットの前記第２係止板部材を係止させるための第２係止構造を設けた、請求項１記載の空冷機器のファンケース。
【請求項４】
前記フィルタケースの上左右に配置された板部材により囲われた内側に、前面側板部材との間にフィルタを挟み込むためのフィルタ押さえ金具を脱着可能に固定するための固定具を設け、
前記フィルタ押さえ金具の下端部に前記第２係止構造を形成した、請求項３記載の空冷機器のファンケース。
【請求項５】
前記フィルタブラケットに前記フィルタケースを装着した状態において、前記フィルタブラケットと前記フィルタケースとの装着状態を固定する固定具を設けた、請求項１〜４の何れかに記載の空冷機器のファンケース。
【発明の詳細な説明】
【技術分野】
【０００１】
本発明は、電子機器等の冷却のために設けられる空冷機器のファンケースに関する。
【背景技術】
【０００２】
一般に、電子機器には、筐体内に設けられた部品を冷却するための空冷機器が設けられている。空冷機器は、冷却ファンによって電子機器筐体内に空気を強制的に流すことで筐体内の部品を冷却する。空冷機器には、電子機器筐体に空気を流すことで、外部から粉塵等が侵入しないようにフィルタが設けられている。空冷機器は、フィルタを通じて空気を取り入れ、電子機器筐体内に送風する。
【０００３】
空冷機器に設けられるフィルタは、使用状態に応じて掃除あるいは交換などのメンテナンスが必要となる。フィルタのメンテナンスは、機器から取り外して作業する必要がある。このため空冷機器には、フィルタを脱着可能とする構成が設けられる。
【０００４】
図１２は、従来の空冷機器のファンケースの一例を示す側面断面図である。空冷機器のファンケースは、電子機器筐体１１６に取り付けられるフィルタブラケット１１２と、フィルタブラケット１１２に対して、はめ込み構造により取り外しが可能なフィルタケース１１４によって構成される。ファンケースには、冷却ファンが収納される。
【０００５】
フィルタケース１１４の内側に、フィルタ１３２が、冷却ファンにより発生する風により剥がれたりしないように接着材で貼り付けられる。フィルタケース１１４をフィルタブラケット１１２にはめ込むことで、フィルタ１３２を空冷機器に取り付け、フィルタ１３２を通じて空気を取り込むようにできる。フィルタブラケット１１２にフィルタケース１１４をはめ込んだ状態でつまみネジ１３０を回すことで、つまみネジ１３０とフィルタブラケット１１２の雌ねじ１２１とが係合され、フィルタケース１１４のフィルタブラケット１１２に対する装着が固定される。
【先行技術文献】
【特許文献】
【０００６】
【特許文献１】特開２００５−３３１９４号公報
【特許文献２】特開２０１１−０３８７２号公報
【発明の概要】
【発明が解決しようとする課題】
【０００７】
従来技術による構成では、フィルタ１３２をフィルタケース１１４に貼り付ける構成のため、フィルタ１３２を交換する場合には、接着材を剥がして貼り付け面を綺麗にし、また新しいフィルタ１３２を接着材により貼り付けて、完全に乾くまで待たなくてはならない。
【０００８】
また、フィルタケース１１４がはめ込み構造により取り外しを可能にする構成のため、フィルタケース１１４をフィルタブラケット１１２の深さ以上で抜き差しし、つまみネジ１３０を回すことが可能な作業空間を確保しなければならない。複数の電子機器をラックなどに収納する構成の場合には、十分な作業空間が確保できず作業がしにくい状況もあり得る。
【０００９】
本発明は前述した事情に考慮してなされたもので、その目的は、空冷機器に設けられるフィルタのメンテナンス作業を容易にすることが可能な空冷機器のファンケースを提供することにある。
【課題を解決するための手段】
【００１０】
上記の課題を解決するために、本実施形態における空冷機器のファンケースは、電子機器筐体に取り付けられるフィルタブラケットと、前記フィルタブラケットに対して脱着可能とするフィルタケースにより構成される。前記フィルタブラケットは、上下左右に配置された板部材により、前記フィルタケースを装着させる前面側に開口部を設けた箱形に形成され、左右に配置された板部材のそれぞれに、前記開口部の開口面と平行に、前記フィルタケースを係止するための２つの第１係止板部材を離間させて設ける。前記フィルタケースは、上左右に配置された板部材と同板部材が３辺に設けられる前面側板部材により、前記フィルタブラケットの前記開口部を覆う箱形に形成され、上左右に配置された板部材の内側にフィルタを脱着可能に設けると共に、左右に配置された板部材の内側のそれぞれに前記前面側板部材と平行に、前記前面側板部材に対して前記第１係止板部材の板厚以上の間隔を空けて、前記フィルタブラケットの前記第１係止板部材と係止させるための２つの第１係止構造を離間して設ける。
【発明の効果】
【００１１】
本発明によれば、空冷機器に設けられるフィルタのメンテナンス作業を容易にすることが可能となる。
【図面の簡単な説明】
【００１２】
【図１】本実施形態における空冷機器のファンケースの構成を示す斜視図。
【図２】本実施形態における空冷機器のファンケースの構成を示す斜視図。
【図３】本実施形態におけるフィルタブラケットの構成を示す図。
【図４】図３に示すフィルタブラケットの一部を拡大した図。
【図５】本実施形態におけるフィルタケースの構成を示す図。
【図６】図５に示すフィルタケースの一部を拡大した図。
【図７】フィルタケースのフィルタ押さえ金具に設けられた係止構造とフィルタブラケットの係止板部材の位置関係を示す図。
【図８】フィルタケースの装着の過程を示すフィルタブラケットとフィルタケースの側面断面図。
【図９】図８に示すフィルタケースの装着が完了した状態のフィルタブラケットの係止板部材とフィルタケースの係止構造の位置関係を示す図。
【図１０】フィルタブラケットの正面の一部を示す図。
【図１１】フィルタケースの装着を示すフィルタケースとフィルタブラケットの前面側下部の構成を示す断面図。
【図１２】従来の空冷機器のファンケースの一例を示す側面断面図。
【発明を実施するための形態】
【００１３】
以下、図面を参照して本発明の実施の形態について説明する。
【００１４】
図１及び図２は、本実施形態における空冷機器のファンケース１０の構成を示す斜視図である。ファンケース１０は、フィルタブラケット１２と、フィルタブラケット１２に対して取り外しが可能なフィルタケース１４によって構成される。ファンケース１０は、電子機器筐体１６の１側面に設けられる。図１は、フィルタケース１４がフィルタブラケット１２から取り外された状態を示し、図２は、フィルタケース１４がフィルタブラケット１２に装着された状態を示している。
【００１５】
図３は、本実施形態におけるフィルタブラケット１２の構成を示す図である。図３（Ａ）は、フィルタブラケット１２の上面図、図３（Ｂ）は、フィルタブラケット１２の開口部の正面図、図３（Ｃ）は、フィルタブラケット１２の側面図である。図４（Ａ）（Ｂ）（Ｃ）は、図３（Ａ）（Ｂ）（Ｃ）に示すフィルタブラケット１２の一部を拡大した図である。
【００１６】
図３及び図４に示すように、フィルタブラケット１２は、上面板１２Ａ、側面板１２Ｂ（１２ＢＬ，１２ＢＲ）、下面板１２Ｃにより横長の箱形に構成され、フィルタケース１４を装着させる正面側に開口部が設けられる。フィルタブラケット１２は、電子機器筐体１６の内部と連通しており、内部に収納された冷却ファン２１により外部から取り入れた空気を電子機器筐体１６の内部に送ることができる。図３は、フィルタブラケット１２に２つの冷却ファン２１が設けられた例を示している。
【００１７】
フィルタブラケット１２の側面板１２ＢＬには、正面側端部に、開口部の開口面と平行に、フィルタケース１４を係止するための２つの係止板部材２３Ｌ，２５Ｌ（第１係止板部材）を離間させて設けている。係止板部材２３Ｌ，２５Ｌは、例えば矩形状の板部材により形成される。フィルタブラケット１２の側面板１２ＢＲには、正面側端部に、開口部の開口面と平行に、フィルタケース１４を係止するための２つの係止板部材２３Ｒ，２５Ｒ（第１係止板部材）を離間させて設けている。係止板部材２３Ｒ，２５Ｒは、例えば矩形状の板部材により形成される。
【００１８】
係止板部材２３Ｌと係止板部材２３Ｒは、同じ形状であり、側面板１２Ｂ（１２ＢＬ，１２ＢＲ）の高さ方向の中途に同じ高さで配置される。係止板部材２５Ｌと係止板部材２５Ｒは、同じ形状であり、下端が下面板１２Ｃと密着させた位置に配置される。
【００１９】
係止板部材２３Ｌ，２５Ｌと係止板部材２３Ｒ，２５Ｒのそれぞれの間隔は、後述するフィルタケース１４に設けられる係止構造３８Ｌ，３８Ｒ（第１係止構造）の高さ方向の幅より広く設けられる。
【００２０】
また、図３（Ｃ）に示すように、側面板１２ＢＬ，１２ＢＲの上端から係止板部材２３Ｌ，２３Ｒが設けられた位置まで、係止板部材２３Ｌ，２３Ｒの前面より、少なくとも後述するフィルタケース１４に設けられる係止構造３６Ｌ，３６Ｒ（第１係止構造）と係止板部材２３Ｌ，２３Ｒの板厚の合計より僅かに横幅が短く形成される。すなわち、フィルタケース１４をフィルタブラケット１２に装着させる際に、フィルタケース１４をフィルタブラケット１２に密着させた状態おいて（図８（Ｂ）（Ｃ）に示す状態）、フィルタケース１４の係止構造３６Ｌ，３６Ｒがフィルタブラケット１２の係止板部材２３Ｌ，２３Ｒの裏面より後方に位置するように構成している。
【００２１】
また、上面板１２Ａには、両側部近傍にそれぞれ切り欠き２６Ｌ，２６Ｒが設けられている。切り欠き２６Ｌ，２６Ｒは、フィルタケース１４をフィルタブラケット１２に装着する際に、フィルタケース１４をフィルタブラケット１２に密着させた状態でスライドさせた場合に、フィルタケース１４の内側に設けられた突起物（図５及び図６に示すセルスタッド３４）が、上面板１２Ａに衝突してスライドの障害とならないようにするためのものである。
【００２２】
図５は、本実施形態におけるフィルタケース１４の構成を示す図である。図５（Ａ）は、フィルタケース１４の内側を上面とした上面図、図５（Ｂ）は、フィルタケース１４の側面板が設けられていない側からの側面図、図５（Ｃ）は、フィルタケース１４の図５（Ｂ）に示すＡ−Ａ線における断面図である。図６（Ａ）（Ｂ）（Ｃ）は、図５（Ａ）（Ｂ）（Ｃ）に示すフィルタケース１４の一部を拡大した図である。
【００２３】
図５及び図６に示すように、フィルタケース１４は、上面板１４Ａ及び側面板１４Ｂ，１４Ｃと、上面板１４Ａと側面板１４Ｂ，１４Ｃとが３辺にそれぞれ垂直に設けられる前面側板部材１４Ｄとにより、フィルタブラケット１２の開口部を覆う箱形に形成される。前面側板部材１４Ｄには、例えばフィルタブラケット１２に収容された２つの冷却ファン２１のそれぞれ配置に合わせて、空気を通すための穴（図示せず）が形成されている。
【００２４】
フィルタケース１４は、上面板１４Ａ及び側面板１４Ｂ，１４Ｃにより囲われた内側にフィルタ３２を脱着可能に設ける。フィルタ３２は、フィルタ押さえ金具３１と前面側板部材１４Ｄの裏面との間に挟み込まれることで、フィルタケース１４に装着される。フィルタ押さえ金具３１とフィルタ３２は、前面側板部材１４Ｄの裏面の４隅近傍に配置されたセルスタッド３４にナット３５が取り付けられることで固定される。フィルタ押さえ金具３１とフィルタ３２には、４隅近傍にセルスタッド３４を貫通させる穴あるいは切り欠きが形成される。セルスタッド３４とナット３５による固定具を設けてフィルタ押さえ金具３１とフィルタ３２を着脱可能とすることで、フィルタ３２を容易にフィルタケース１４から取り外すことができる。フィルタ押さえ金具３１には、例えばフィルタケース１４に設けられた空気を通すための穴と同じ位置に穴３１Ａ，３１Ｂが設けられる。
【００２５】
フィルタケース１４の左右に配置された側面板１４Ｂ，１４Ｃの内側のそれぞれには、前面側板部材１４Ｄと平行に、前面側板部材１４Ｄに対して、フィルタブラケット１２に設けられた係止板部材２３Ｌ，２３Ｒ，２５Ｌ，２５Ｒ（第１係止板部材）の板厚以上の間隔を空けて、フィルタブラケット１２の係止板部材２３Ｌ，２３Ｒ，２５Ｌ，２５Ｒと係止させるための係止構造３６Ｌ，３６Ｒ，３８Ｌ，３８Ｒ（第１係止構造）を設ける。前面側板部材１４Ｄと係止構造３６Ｌ，３６Ｒ，３８Ｌ，３８Ｒとの間には、フィルタケース１４をフィルタブラケット１２に対してスライド操作により装着する際に、フィルタブラケット１２の係止板部材２３Ｌ，２３Ｒ，２５Ｌ，２５Ｒが挿入される。フィルタケース１４をフィルタブラケット１２に装着した状態では、前面側板部材１４Ｄと係止構造３６Ｌ，３６Ｒ，３８Ｌ，３８Ｒとの間に係止板部材２３Ｌ，２３Ｒ，２５Ｌ，２５Ｒを保持することで、フィルタブラケット１２とフィルタケース１４の装着状態が保持される。従って、係止板部材２３Ｌ，２３Ｒ，２５Ｌ，２５Ｒが挿入された状態おいて隙間が少なくなる（好ましくは密着する）ように、前面側板部材１４Ｄと係止構造３６Ｌ，３６Ｒ，３８Ｌ，３８Ｒの間隔が設けられる。なお、精度高くフィルタケース１４を装着する必要がない場合には、前面側板部材１４Ｄと係止構造３６Ｌ，３６Ｒ，３８Ｌ，３８Ｒの間隔を広くすることで、フィルタケース１４の装着作業を簡単することもできる。
【００２６】
本実施形態のフィルタケース１４ではフィルタ押さえ金具３１の左右端部に係止構造３６Ｌ，３８Ｌ，３６Ｒ，３８Ｒを設けている。係止構造３６Ｌ，３８Ｌは、フィルタ押さえ金具３１の左端に離間させて形成されている。同様に、係止構造３６Ｒ，３８Ｒは、フィルタ押さえ金具３１の右端に離間させて形成されている。係止構造３６Ｌ，３８Ｌと係止構造３６Ｒ，３８Ｒのそれぞれの間隔は、フィルタブラケット１２に設けられた係止板部材２３Ｌ，２３Ｒの高さ方向の幅より大きくしている。
【００２７】
なお、図５では、図３及び図４に示す左側の側面板１２ＢＬに設けられた係止板部材２３Ｌ，２５Ｌと係合される第１係止構造を係止構造３６Ｌ，３８Ｌによって示し、同じく、右側の側面板１２ＢＲに設けられた係止板部材２３Ｒ，２５Ｒと係合される第１係止構造を係止構造３６Ｒ，３８Ｒによって示している。
【００２８】
係止構造３６Ｌ，３８Ｌ，３６Ｌ，３８Ｌをフィルタ押さえ金具３１の一部に形成することで、フィルタケース１４を構成する部品の点数を少なくしている。なお、フィルタケース１４を構成する部品点数が増えるが、係止構造３６Ｌ，３８Ｌ，３６Ｒ，３８Ｒを、フィルタ押さえ金具３１とは別の部材によって構成することも可能である。
【００２９】
図５（Ｂ）に示すように、フィルタ３２は、前面側板部材１４Ｄの裏面のほぼ全体を覆うサイズで形成される。従って、前面側板部材１４Ｄとフィルタ押さえ金具３１に設けられた穴を通じて外部から導入される空気は、フィルタ３２を通過することになる。
【００３０】
次に、本実施形態のファンケース１０におけるフィルタケース１４をフィルタブラケット１２に装着する方法について説明する。なお、フィルタケース１４をフィルタブラケット１２から取り外す場合には、装着時と逆の手順による方法が行われるものとして詳細な説明を省略する。
【００３１】
本実施形態のファンケース１０では、フィルタケース１４をフィルタブラケット１２に装着する場合、フィルタケース１４の内側をフィルタブラケット１２の開口部に対して、上方向にずらして密着させた状態で下方向にスライドさせる。これにより、フィルタケース１４のフィルタ押さえ金具３１に設けられた係止構造３６Ｌ，３６Ｒ，３８Ｌ，３８Ｒが、それぞれに対応するフィルタブラケット１２に設けられた係止板部材２３Ｌ，２３Ｒ，２５Ｌ，２５Ｒと係止される。これにより、フィルタケース１４をフィルタブラケット１２に装着することができる。
【００３２】
以下、フィルタケース１４の装着方法の詳細について説明する。
【００３３】
図７は、フィルタケース１４の内側をフィルタブラケット１２の開口部に密着させる時の、フィルタケース１４のフィルタ押さえ金具３１に設けられた係止構造３６Ｌ，３６Ｒ，３８Ｌ，３８Ｒと、フィルタブラケット１２の係止板部材２３Ｌ，２３Ｒ，２５Ｌ，２５Ｒの位置関係を示す図である。図８（Ａ）（Ｂ）（Ｃ）は、フィルタケース１４の装着の過程を示すフィルタブラケット１２とフィルタケース１４の側面断面図である。図９（Ａ）（Ｂ）は、図８（Ｃ）に示すフィルタケース１４の装着が完了した状態のフィルタブラケット１２の係止板部材２３Ｒ，２５Ｒとフィルタケース１４の係止構造３６Ｒ，３８Ｒの位置関係を示す図である。
【００３４】
まず、図８（Ａ）に示すように、フィルタケース１４の内側をフィルタブラケット１２の開口部に対して、上方向に僅かにずらして密着させる。フィルタケース１４は、前面側板部材１４Ｄに対して、上面板１４Ａと２枚の側面板１４Ｂ，１４Ｃの３枚の板部材が設けられ、下側が開放された構成となっている。また、図７に示すように、フィルタブラケット１２に設けられた係止板部材２３Ｌ，２３Ｒ，２５Ｌ，２５Ｒと、フィルタ押さえ金具３１に設けられた係止構造３６Ｌ，３６Ｒ，３８Ｌ，３８Ｒは、上方向に僅かにずらした状態において、高さ方向で相互に重ならない位置に設けられている。従って、フィルタケース１４をフィルタブラケット１２に対して上方向にずらして密着させることができる。
【００３５】
図８（Ｂ）に示すように、フィルタケース１４をフィルタブラケット１２に対して上方向にずらして密着させた状態において、フィルタケース１４を下方向にスライドさせる。前面側板部材１４Ｄと係止構造３６Ｌ，３６Ｒ，３８Ｌ，３８Ｒとの間は、係止板部材２３Ｌ，２３Ｒ，２５Ｌ，２５Ｒの板厚以上の間隔が設けられている。従って、図８（Ｃ）に示すように、前面側板部材１４Ｄと係止構造３６Ｌ，３６Ｒ，３８Ｌ，３８Ｒとの間に、スライド操作によって、フィルタブラケット１２の係止板部材２３Ｌ，２３Ｒ，２５Ｌ，２５Ｒが挿入される。
【００３６】
なお、フィルタケース１４を下方向にスライドさせる際、前面側板部材１４Ｄの裏側に突出したセルスタッド３４は、フィルタブラケット１２の上面板１２Ａに設けられた切り欠き２６Ｌ，２６Ｒを通過する。従って、フィルタ押さえ金具３１とフィルタ３２を固定するためのセルスタッド３４がスライド操作の障害とならない。
【００３７】
図９（Ａ）は、図９（Ｂ）に示すＢ−Ｂ線における断面図、図９（Ｂ）は、図９（Ａ）に示すＣ−Ｃ線における断面図である。
【００３８】
図９（Ａ）（Ｂ）に示すように、フィルタブラケット１２の係止板部材２３Ｒ，２５Ｒと、フィルタケース１４の係止構造３６Ｒ，３８Ｒが、それぞれ高さ方向で一部が重なるため係止状態が保持される。
【００３９】
このようにして、本実施形態におけるファンケース１０では、フィルタケース１４をフィルタブラケット１２に対して密着させた状態でスライドさせることで、フィルタケース１４をフィルタブラケット１２に対して装着することができる。同様にして、フィルタケース１４をフィルタブラケット１２から取り外す場合には、フィルタケース１４を上方向に僅かにずらして手前に引くだけで良い。従って、フィルタケース１４の装着作業を簡単にすることができる。特に、フィルタケース１４は、前面側板部材１４Ｄの３辺のみに板部材が設けられた箱形に形成され、またフィルタブラケット１２の開口部を覆う寸法も短いため、十分な作業空間が確保できない環境であっても、フィルタケース１４に対する脱着作業を容易に実施することが可能である。
【００４０】
また、フィルタケース１４に取り付けられたフィルタ３２は、フィルタ押さえ金具３１と前面側板部材１４Ｄの裏面との間で、全体で押さえて固定されるので、冷却ファン２１による風により剥がれるおそれがない。また、フィルタ３２は、セルスタッド３４とナット３５によりフィルタケース１４に固定されているので、フィルタケース１４からの取り外しや取り付けが容易となっている。従って、フィルタ３２の掃除や交換の作業を簡単に実施することができる。
【００４１】
なお、前述した説明では、フィルタブラケット１２とフィルタケース１４とを左右位置で係止せているが、下位置においても係止できるようにしても良い。
【００４２】
図１０は、フィルタブラケット１２の正面の一部を示す図である。図１１（Ａ）（Ｂ）は、フィルタケース１４の装着を示すフィルタケース１４とフィルタブラケット１２の前面側下部の構成を示す断面図である。
【００４３】
図１０に示すように、フィルタケース１４には、下に配置された下面板１２Ｃ（板部材）に、開口部の開口面と平行に、フィルタケース１４を係止するための係止板部材２８（第２係止板部材）を横幅方向全体に設ける。
【００４４】
一方、フィルタケース１４には、図１１に示すように、前面側板部材１４Ｄの下端近傍の内側に、前面側板部材１４Ｄと平行に、前面側板部材１４Ｄに対して係止板部材２８の板厚以上の間隔を空けて、フィルタブラケット１２の係止板部材２８を係止させるための係止構造３９（第２係止構造）を設ける。図１１に示す例では、フィルタ押さえ金具３１の下端部の全体に係止構造３９が形成された例を示している。なお、フィルタ押さえ金具３１とは別の部材により係止構造３９が形成されていても良い。
【００４５】
フィルタケース１４がフィルタブラケット１２に対して装着される際に、フィルタケース１４がフィルタブラケット１２に密着されると、フィルタブラケット１２の係止板部材２８とフィルタケース１４の位置関係は図１１（Ａ）に示すようになる。ここで、フィルタケース１４が下方向にスライドされることにより、図１１（Ｂ）に示すように、前面側板部材１４Ｄと係止構造３９との間に、フィルタブラケット１２の係止板部材２８が挿入される。
【００４６】
こうして、前面側板部材１４Ｄと係止構造３９との間に、フィルタブラケット１２の係止板部材２８が挿入されることにより、フィルタケース１４とフィルタブラケット１２とが下辺部において係止状態が維持される。
【００４７】
また、フィルタブラケット１２とフィルタケース１４の下辺全体で係止され、また前面側板部材１４Ｄと係止構造３９との間にフィルタブラケット１２の係止板部材２８が挿入されることから、フィルタケース１４を安定して固定し、フィルタブラケット１２とフィルタケース１４とを密着させる（隙間を少なくする）ことができる。従って、フィルタブラケット１２とフィルタケース１４との隙間から空気が取り込まれることを防止することができる。
【００４８】
なお、前述した説明では、係止板部材による係止によりフィルタケース１４をフィルタブラケット１２に装着しているが、フィルタケース１４を装着した状態において、より安定した状態を維持するためにフィルタブラケット１２とフィルタケース１４との装着状態を維持する固定具をさらに設けるようにしても良い。例えば、フィルタブラケット１２とフィルタケース１４とを固定するためのつまみネジ、あるいはパチン錠を設けることが可能である。例えばフィルタケース１４を装着した状態において、フィルタブラケット１２とフィルタケース１４の係止板部材の重なり合う位置に貫通穴を設けて、この貫通穴においてつまみネジによりフィルタブラケット１２とフィルタケース１４の係止板部材とを固定できるようにする。また、フィルタブラケット１２とフィルタケース１４の側面部において、フィルタケース１４を装着した状態において近接する位置に、少なくとも１つのパチン錠を設ける。これにより、フィルタブラケット１２とフィルタケース１４とのがたつきを防止することが可能となり、また工具を用いることなくフィルタケース１４の取り外しが可能となる。
【００４９】
また、前述した説明では、フィルタブラケット１２をフィルタケース１４に対して脱着する場合に、フィルタブラケット１２を上下方向にスライドさせるとしているが、フィルタブラケット１２を左右方向にスライドさせて脱着可能とする構成とすることも可能である。すなわち、前述したフィルタブラケット１２とフィルタケース１４の左右に設けられた構成を、前述と同様にして上下に設けることで実現することが可能である。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１０…ファンケース、１２…フィルタブラケット、１４…フィルタケース１４、１６…電子機器筐体、２１…冷却ファン、２３Ｌ，２３Ｒ，２５Ｌ，２５Ｒ…係止板部材、２６Ｌ，２６Ｒ…切り欠き、３１…フィルタ押さえ金具、３２…フィルタ、３４…セルスタッド、３６Ｌ，３６Ｒ，３８Ｌ，３８Ｒ，３９…係止構造。
【図１】
2020077769.tif 000003
【図２】
2020077769.tif 000004
【図３】
2020077769.tif 000005
【図４】
2020077769.tif 000006
【図５】
2020077769.tif 000007
【図６】
2020077769.tif 000008
【図７】
2020077769.tif 000009
【図８】
2020077769.tif 000010
【図９】
2020077769.tif 000011
【図１０】
2020077769.tif 000012
【図１１】
2020077769.tif 000013
【図１２】
2020077769.tif 000014